(57)【要約】      （修正有）【課題】より細かい洗浄痕の間隔で、洗浄や目荒らしが可能な噴射ガン用ノズルヘッドを提供する。【解決手段】円柱状のノズルヘッド１０の先端面１０ａに、複数の噴射ノズル孔１４を備え、複数の噴射ノズル孔１４がマス目状に配置されると共にマス目のグリッド角度が２５度〜４０度傾斜されて配置されていることを特徴とし、又は、複数の噴射ノズル孔１４が少なくとも２個以上で１つのグループをなし、グループを少なくとも２グループ以上備え、各同一のグループ内の複数の噴射ノズル孔１４が、１種類のマス目状に配置され、各グループのうち、少なくとも１つのグループのマス目のグリッド角度が、２５度〜４０度傾斜されて配置されていることを特徴とする。【選択図】図３
0003204998.tif 000002
【実用新案登録請求の範囲】
【請求項１】
構造物の高圧洗浄を行うための噴射ガンの先端に用いる噴射ガン用ノズルヘッドにおいて、
円柱状のノズルヘッドの先端面に、複数の噴射ノズル孔を備え、
該複数の噴射ノズル孔がマス目状に配置されると共にマス目のグリッド角度が２５度〜４０度傾斜されて配置されていることを特徴とする噴射ガン用ノズルヘッド。
【請求項２】
前記複数の噴射ノズル孔が少なくとも２個以上で１つのグループをなし、
該グループを少なくとも２グループ以上備え、
各同一の該グループ内の該複数の噴射ノズル孔が、１種類の前記マス目状に配置され、
各該グループのうち、少なくとも１つの該グループの該マス目の前記グリッド角度が、２５度〜４０度傾斜されて配置されていることを特徴とする請求項１記載の噴射ガン用ノズルヘッド。
【請求項３】
前記噴射ノズル孔が、マス目間隔約１１ｍｍで正方形状に９個配置され、
前記マス目のグリッド角度が、約３３．６度であることを特徴とする請求項１記載の噴射ガン用ノズルヘッド。
【請求項４】
第１の前記グループが、マス目間隔が約１５ｍｍの２行３列の前記マス目で６個の前記噴射ノズル孔を有し、該マス目の前記グリッド角度が２５度〜４０度傾斜されて配置され、
第２の前記グループが、マス目間隔が約１５ｍｍの２行３列の前記マス目で６個の前記噴射ノズル孔を有し、
該第１のグループと該第２のグループの前記噴射ノズル孔が、互いに干渉しないように設けられていることを特徴とする請求項２記載の噴射ガン用ノズルヘッド。
【考案の詳細な説明】
【技術分野】
【０００１】
本考案は、構造物の高圧洗浄を行うための噴射ガンの先端に用いる噴射ガン用ノズルヘッドに関する。
【背景技術】
【０００２】
従来より、構造物の高圧洗浄を行うための噴射ガンが用いられ、その噴射ガンの先端には、噴射ガン用ノズルヘッドが設けられている。この噴射ガン用ノズルヘッドの先端には、噴射ノズル孔が複数設けられ、噴射ノズル孔から噴射された水等により、構造物の洗浄や目荒らしを行う。尚、ノズルヘッドが回転するものの従来の噴射ガン用ノズルヘッドの例としては、例えば、特許文献１に示すロータリーガン用ノズルがある。
【０００３】
一般的な従来の噴射ガン用ノズルヘッドは、図６に示すような噴射ガン用ノズルヘッド３０の先端面３０ａに、複数の噴射ノズル３２を有し、その噴射ノズル３２のそれぞれの中央に噴射ノズル孔３４が穿設されている。この噴射ノズル孔３４は、例えば、先端面３０ａの直径が６０ｍｍの場合、マス目間隔が約１５ｍｍで、マス目状に９個穿設され、マス目のグリッド角度Ａは、約１９度である。
【０００４】
そして、従来の噴射ガン用ノズルヘッド３０の噴射ノズル孔３４から高圧水が噴射された状態で、例えば構造物の壁面を水平方向に噴射ガン用ノズルヘッド３０を移動させて洗浄した場合、平行する洗浄痕が刻設される。この噴射ガン用ノズルヘッド３０による洗浄痕の間隔が約４．４ｍｍ〜約４．９ｍｍである。
【先行技術文献】
【特許文献】
【０００５】
【特許文献１】特開２０１１−１２５８０５号公報
【考案の概要】
【考案が解決しようとする課題】
【０００６】
しかしながら、従来の噴射ガン用ノズルヘッド３０では、グリッド角度Ａが小さく、平行する洗浄痕の間隔が、大きくなってしまい壁面の細かい洗浄や目荒らしが困難である。
【０００７】
本考案は、このような事情に鑑みてなされたもので、より細かい洗浄痕の間隔で、洗浄や目荒らしが可能な噴射ガン用ノズルヘッドを提供することにある。
【課題を解決するための手段】
【０００８】
請求項１記載の噴射ガン用ノズルヘッドは、円柱状のノズルヘッドの先端面に、複数の噴射ノズル孔を備え、複数の噴射ノズル孔がマス目状に配置されると共にマス目のグリッド角度が２５度〜４０度傾斜されて配置されていることを特徴とする。
【０００９】
請求項２記載の噴射ガン用ノズルヘッドは、複数の噴射ノズル孔が少なくとも２個以上で１つのグループをなし、グループを少なくとも２グループ以上備え、各同一のグループ内の複数の噴射ノズル孔が、１種類のマス目状に配置され、各グループのうち、少なくとも１つのグループのマス目のグリッド角度が、２５度〜４０度傾斜されて配置されていることを特徴とする。
【００１０】
請求項３記載の噴射ガン用ノズルヘッドは、噴射ノズル孔が、マス目間隔約１１ｍｍで正方形状に９個配置され、マス目のグリッド角度が、約３３．６度であることを特徴とする。
【００１１】
請求項４記載の噴射ガン用ノズルヘッドは、第１のグループが、マス目間隔が約１５ｍｍの２行３列のマス目で６個の噴射ノズル孔を有し、マス目のグリッド角度が２５度〜４０度傾斜されて配置され、第２のグループが、マス目間隔が約１５ｍｍの２行３列のマス目で６個の噴射ノズル孔を有し、第１のグループと第２のグループの噴射ノズル孔が、互いに干渉しないように設けられていることを特徴とする。
【考案の効果】
【００１２】
本願考案の噴射ガン用ノズルヘッドによれば、複数の噴射ノズル孔がマス目状に配置されると共にマス目のグリッド角度が２５度〜４０度傾斜されて配置されており、より細かい洗浄痕の間隔で、洗浄や目荒らしが可能な噴射ガン用ノズルヘッドを提供することにある。
【図面の簡単な説明】
【００１３】
【図１】本考案に係る噴射ガン用ノズルヘッドを備える噴射ガンの一例を示す説明図である。
【図２】本考案に係る第１の実施の形態を示す噴射ガン用ノズルヘッドの一例を示す説明図である。
【図３】同噴射ガン用ノズルヘッドの形状の一例を示す説明図である。
【図４】本考案に係る第２の実施の形態を示す噴射ガン用ノズルヘッドの形状の他の一例を示す説明図である。
【図５】同噴射ガン用ノズルヘッドのグループを示す説明図である。
【図６】従来の噴射ガン用ノズルヘッドの形状を示す説明図である。
【考案を実施するための形態】
【００１４】
以下、本考案の形態について図面を参照しながら具体的に説明する。図１は、本考案に係る噴射ガン用ノズルヘッドを備える噴射ガンの一例を示す説明図であり、本願の考案に係る噴射ガン用ノズルヘッド１０，２０は、構造物の高圧洗浄を行うための噴射ガン１の先端に用いるものである。噴射ガン１は、円筒状の砲身４の先端に噴射ガン用ノズルヘッド１０，２０を備えると共に、後端にはグリップ６を有し、そのグリップ６の後下端には、高圧水を供給するためのホースが接続されるホース接続口８が設けられている。
【００１５】
噴射ガン１は、グリップ６のホース接続口８から供給された高圧水を、砲身４を介して噴射ガン用ノズルヘッド１０，２０の先端面１０ａ，２０ａに設けられた噴射ノズル１２，２２，２６の噴射ノズル孔１４，２４，２８から噴射させ、例えば構造物の壁面の洗浄や目荒らしを行う。
【実施例１】
【００１６】
噴射ガン用ノズルヘッドの具体的な実施例としては、図２及び図３に示すものがある。図２は、本考案に係る第１の実施の形態を示す噴射ガン用ノズルヘッドの一例を示す説明図である。図３は、同噴射ガン用ノズルヘッドの形状の一例を示す説明図である。
【００１７】
噴射ガン用ノズルヘッド１０は、円柱状で先端面１０ａに、噴射ノズル１２が設けられ、噴射ノズル１２の中心に噴射ノズル孔１２が穿設されている。噴射ノズル１２すなわち噴射ノズル孔１４は、マス目状に配置されている。噴射ガン用ノズルヘッド１０では、噴射ノズル１２すなわち噴射ノズル孔１４が、マス目間隔約１１ｍｍで正方形状に９個配置されている。さらに、噴射ノズル孔１４のマス目状の配置において、マス目のグリッド角度Ａが２５度〜４０度傾斜されて配置されることを基本とし、本実施例では、本実施例でより好ましい配置として、マス目のグリッド角度Ａが、約３３．６度である。尚、噴射ガン用ノズルヘッド１０の先端面１０ａは、直径が約４８．５ｍｍである。
【実施例２】
【００１８】
実施例１では、噴射ノズル孔１４が９個の場合であるが、これよりも個数の多い例が図４及び図５に示す本実施例である。図４は、本考案に係る第２の実施の形態を示す噴射ガン用ノズルヘッドの形状の他の一例を示す説明図である。図５は、同噴射ガン用ノズルヘッドのグループを示す説明図である。
【００１９】
噴射ガン用ノズルヘッド２０は、円柱状で先端面２０ａに、噴射ノズル２２，２６が設けられ、噴射ノズル２２，２６の中心に噴射ノズル孔２４，２８が穿設されている。噴射ノズル２２，２６すなわち噴射ノズル孔２４，２８は、マス目状に配置されているが、実施例１とは異なるマス目状で配置されている。
【００２０】
具体的には、複数の噴射ノズル孔２４，２８が少なくとも２個以上で１つのグループをなし、グループを少なくとも２グループ以上備える形態になっている。より具体的には、噴射ノズル孔２４（噴射ノズル２２）が、第１のグループＸとして、マス目間隔が約１５ｍｍの２行３列のマス目で６個であり、噴射ノズル孔２８（噴射ノズル２６）が、第２のグループＹとして、マス目間隔が約１５ｍｍの２行３列のマス目で６個である。そして、第１のグループＸと第２のグループＹの噴射ノズル孔２４と噴射ノズル孔２８とが、互いに干渉しないように設けられている。尚、噴射ガン用ノズルヘッド２０の先端面２０ａは、直径が約４９ｍｍである。
【００２１】
そして、第１のグループＸのマス目のグリッド角度が、２５度〜４０度傾斜されて配置されることを基本とし、本実施例では、本実施例でより好ましい配置として、マス目のグリッド角度Ａが、約２６．５度である。また、第１のグループＸと第２のグループＹとのマス目のグリッド角度の差は、約２６．５度である。
【００２２】
本実施例の噴射ガン用ノズルヘッド２０は、すなわち、複数の噴射ノズル孔２４，２８が少なくとも２個以上で１つのグループをなし、グループを少なくとも２グループ以上備え、各同一のグループ内の複数の噴射ノズル孔２４，２８が、１種類のマス目状に配置され、各グループのうち、少なくとも１つのグループのマス目のグリッド角度が、２５度〜４０度傾斜されて配置されている。
【００２３】
以上のような例えば実施例１及び実施例２に示す噴射ガン用ノズルヘッド１０，２０によれば、複数の噴射ノズル孔１４，２４，２８がマス目状に配置されると共にマス目のグリッド角度Ａが２５度〜４０度傾斜されて配置されており、より細かい洗浄痕の間隔で、洗浄や目荒らしが可能である。
【産業上の利用可能性】
【００２４】
本考案により、より細かい洗浄痕の間隔で、洗浄や目荒らしが可能な噴射ガン用ノズルヘッドを提供することができる。
【符号の説明】
【００２５】
１・・・・・噴射ガン
４・・・・・砲身
６・・・・・グリップ
８・・・・・ホース接続口
１０・・・・噴射ガン用ノズルヘッド
１０ａ・・・先端面
１２・・・・噴射ノズル
１４・・・・噴射ノズル孔
２０・・・・噴射ガン用ノズルヘッド
２０ａ・・・先端面
２２・・・・噴射ノズル
２４・・・・噴射ノズル孔
２６・・・・噴射ノズル
２８・・・・噴射ノズル孔
【図１】
0003204998.tif 000003
【図２】
0003204998.tif 000004
【図３】
0003204998.tif 000005
【図４】
0003204998.tif 000006
【図５】
0003204998.tif 000007
【図６】
0003204998.tif 000008